(57)【要約】【課題】単純な構造でオプション装備を取り付け可能にすることができ、優れた使用感を得ることができるテーブル装置を提供する。【解決手段】天板２と、この天板２の下部から下方へ延びて天板を支持する複数の脚体と、天板２の下部において天板２の外周縁２ａに沿って設けられ、前記複数の脚体の上部を連結する連結横杆４とを備えるテーブル装置１であって、天板２の下面２ｅには、外周縁２ａから、該下面２ｅの面方向のうち外周縁２ａに交差する交差方向に向けて第一凹部２ｆが形成され、該第一凹部２ｆは、連結横杆上面４ｃとの間にオプション装備の固定片が挿入可能な上下方向の第一間隙１０を形成していることを特徴とする。【選択図】図２
2011024629.tif 000002
【特許請求の範囲】
【請求項１】
天板と、
この天板の下部から下方へ延びて前記天板を支持する複数の脚体と、
前記天板の下部において前記天板の外周縁に沿って設けられ、前記複数の脚体の上部を連結する連結横杆とを備えるテーブル装置であって、
前記天板の下面には、前記外周縁から、該下面の面方向のうち前記外周縁に交差する交差方向に向けて第一凹部が形成され、
該第一凹部は、前記連結横杆上面との間にオプション装備の固定片が挿入可能な上下方向の第一間隙を形成していることを特徴とするテーブル装置。
【請求項２】
前記第一凹部は、前記連結横杆が連結する前記脚体の間の全部に亘って連続して形成されていることを特徴とする請求項１に記載のテーブル装置。
【請求項３】
前記第一凹部は、前記連結横杆が連結する前記脚体の間の一部に形成されていることを特徴とする請求項１に記載のテーブル装置。
【請求項４】
前記天板の下面には、前記外周縁から、前記第一凹部よりも前記交差方向に向けて浅く、かつ、前記連結横杆が連結する前記複数の脚体の間の全部に亘って連続して形成された第二凹部を有し、
該第二凹部は、前記連結横杆に対して上下方向の第二間隙を形成していることを特徴とする請求項３に記載のテーブル装置。
【請求項５】
前記第一凹部は、前記連結横杆よりも前記下面の中央側に延びていることを特徴とする請求項１から４のうちいずれか一項に記載のテーブル装置。
【請求項６】
前記連結横杆は、前記交差方向に延びる基部と、前記基部のうち前記下面の中央側における位置から下方へ延びる垂下部とを備えることを特徴とする請求項１から５のうちいずれか一項に記載のテーブル装置。
【請求項７】
前記天板は、上面視多角形に形成され、
前記脚体は、前記多角形となった前記下面の各角部に設けられ、
前記連結横杆は、前記外周縁となった前記多角形の複数の辺部に設けられ、
前記第一凹部は、前記複数設けられた連結横杆の少なくともいずれかに対応して形成されていることを特徴とする請求項１から６のうちいずれか一項に記載のテーブル装置。
【発明の詳細な説明】
【技術分野】
【０００１】
本発明は、テーブル装置に関するものである。
【背景技術】
【０００２】
周知のように、天板と、この天板の下部から下方へ延びて前記天板を支持する複数の脚体とを備えるテーブル装置においては、使用者の使い勝手を向上させるために、電気スタンド、上棚、電話台、タスクライト、仕切りパネル等のオプション装備が用いられている。これらオプション装備の取付具としては、天板部の外周縁を上下から挟み込んでクランプする構造のものが知られている。
【０００３】
ところで、上記テーブル装置の一種として、複数の脚体の上部を連結する連結横杆を天板の下部において外周縁に沿って設け、耐荷重や強度を向上させたものがあるが、この種のテーブル装置に上記クランプ構造の取付具を用いると、取付具が連結横杆に干渉してオプション装備の取り付けが不完全となる場合がある。
【０００４】
下記特許文献１には、脚体を連結する支持フレーム部を有し、天板の下面側において支持フレーム部に保持される支持体を設けるとともに、支持体と天板との間に所定高さの空間を形成し、該空間内に着脱可能なオプション部材を保持し得る保持部を形成している。
【先行技術文献】
【特許文献】
【０００５】
【特許文献１】特開２００３−７０５４８号公報
【発明の概要】
【発明が解決しようとする課題】
【０００６】
しかしながら、従来の技術においては、支持フレームの形状を、支持体を保持するために複雑な形状にする必要があり、また、支持フレームに支持体が別途付加される構成であるために部品点数が増加してしまう。このため、支持構造全体が複雑なものとなり、生産性を低下させてしまうという問題があった。
【０００７】
また、支持体の分だけ支持フレームを板面中央側に設けなければならず、支持フレームと脚体とを外周縁に寄せることができない。このため、天板の下方における使用者の足部収容スペースが狭くなって、使用感を低下させてしまうという問題があった。
【０００８】
本発明は、このような事情を考慮してなされたもので、その目的は、単純な構造でオプション装備を取り付け可能にすることができ、優れた使用感を得ることができるテーブル装置を提供することにある。
【課題を解決するための手段】
【０００９】
上記目的を達成するために、本発明は以下の手段を採用している。
すなわち、本発明に係るテーブル装置は、天板と、この天板の下部から下方へ延びて前記天板を支持する複数の脚体と、前記天板の下部において前記天板の外周縁に沿って設けられ、前記複数の脚体の上部を連結する連結横杆とを備えるテーブル装置であって、前記天板の下面には、前記外周縁から、該下面の面方向のうち前記外周縁に交差する交差方向に向けて第一凹部が形成され、該第一凹部は、前記連結横杆上面との間にオプション装備の固定片が挿入可能な上下方向の第一間隙を形成していることを特徴とする。
【００１０】
この構成によれば、天板の下部において外周縁に沿って連結横杆を設け、天板の下面には、外周縁から交差方向に向けて第一凹部が形成され、この第一凹部が連結横杆上面との間にオプション装備の固定片が挿入可能な第一間隙を形成しているので、天板の下部において外周縁に沿って連結横杆を設けたとしても、第一間隙にオプション装備の固定片を挿入することが可能となる。
すなわち、新たな部品を付加せずに天板に第一凹部を形成することにより、オプション装備の固定片が挿入可能な第一間隙が形成されるので、極めて単純な構造でオプション装備を取り付け可能にすることができる。
また、天板の下部において外周縁に沿って連結横杆を設け、天板下方のスペースを最大限大きく構成したとしても、第一間隙にオプション装備の固定片を挿入することができるので、オプション装備を取り付けて使用者の使い勝手を向上させることができる。これにより、使用感を向上させることができる。
従って、単純な構造でオプション装備を取り付け可能にすることができ、優れた使用感を得ることができる。
【００１１】
また、前記第一凹部は、前記連結横杆が連結する前記脚体の間の全部に亘って連続して形成されていることを特徴とする。
この構成によれば、第一凹部が、連結横杆が連結する脚体の間の全部に亘って連続して形成されているので、連結横杆が連結する脚体の間の全部に亘って第一間隙が形成され、固定片を自在に挿入することができる。これにより、オプション装備の取り付け可能な範囲が比較的に広くなるので、オプション装備の取り付け自由度が向上する。従って、使用者の使い勝手が向上し、より優れた使用感を得ることができる。
【００１２】
また、前記第一凹部は、前記連結横杆が連結する前記脚体の間の一部に形成されていることを特徴とする。
この構成によれば、第一凹部は、連結横杆が連結する脚体の間の一部に形成されているので、第一間隙が脚体間の一部に形成され、固定片を挿入する部位が限定される。これにより、オプション装備を取り付ける位置のガイド機能を持たせることができるので、使用者の使い勝手が向上し、より優れた使用感を得ることができる。
【００１３】
また、前記天板の下面には、前記外周縁から、前記第一凹部よりも前記交差方向に向けて浅く、かつ、前記連結横杆が連結する前記複数の脚体の間の全部に亘って連続して形成された第二凹部を有し、該第二凹部は、前記連結横杆に対して上下方向の第二間隙を形成していることを特徴とする。
この構成によれば、第一凹部よりも交差方向に向けて浅く、かつ、連結横杆が連結する複数の脚体の間の全部に亘って連続して形成された第二凹部を有し、第二凹部が連結横杆に対して第二間隙を形成しているので、第一間隙と第二間隙とが重ねられて形成される。これにより、第一間隙が外方から視認し難くなるので、良好な意匠効果を得ることができる。
【００１４】
また、前記第一凹部は、前記連結横杆よりも前記下面の中央側に延びていることを特徴とする。
この構成によれば、第一凹部が、連結横杆よりも下面の中央側に延びているので、連結横杆よりも下面中央側において、下方から固定片に接触することが可能になる。これにより、固定片の固定方法を広く採用することが可能になる。
【００１５】
また、前記連結横杆は、前記交差方向に延びる基部と、前記基部のうち前記下面の中央側における位置から下方へ延びる垂下部とを備えることを特徴とする。
この構成によれば、連結横杆が、交差方向に延びる基部と、基部のうち下面の中央側における位置から下方へ延びる垂下部とを備えるので、垂下部に対して基部の厚さ寸法が小さくなる。これにより、垂下部において必要な強度を確保することができる一方で、天板の外周縁において天板と基部とを把持し易くなって、テーブル装置の移動等の作業性を良好なものとすることができる。
また、連結横杆よりも中央側において固定片を天板下面に固定部材で固定した場合には、天板の外周縁を把持した際に、垂下部が固定部材への干渉を防止するので、固定片の位置ズレを抑止することができる。さらに、外方から固定片や固定部材が視認し難くなるので、良好な意匠効果を得ることができる。
【００１６】
また、前記天板は、上面視多角形に形成され、前記脚体は、前記多角形となった前記下面の各角部に設けられ、前記連結横杆は、前記外周縁となった前記多角形の複数の辺部に設けられ、前記第一凹部は、前記複数設けられた連結横杆の少なくともいずれかに対応して形成されていることを特徴とする。
この構成によれば、天板が、上面視多角形に形成され、脚体が、多角形となった下面の各角部に設けられ、連結横杆が、外周縁となった多角形の複数の辺部に設けられ、第一凹部が、複数設けられた連結横杆の少なくともいずれかに対応して形成されているので、複数のオプション装備や様々なオプション装備を取り付けることが可能となる。
【発明の効果】
【００１７】
本発明に係るテーブル装置によれば、単純な構造でオプション装備を取り付け可能にすることができ、優れた使用感を得ることができる。
【図面の簡単な説明】
【００１８】
【図１】本発明の実施形態に係るテーブル装置１の概略構成斜視図であって、背面側から見た図である。
【図２】本発明の実施形態に係るテーブル装置１の要部拡大断面斜視図である。
【図３】本発明の実施形態に係るテーブル装置１の要部拡大断面図であって、図１におけるＩ−Ｉ線断面図である。
【図４】本発明の実施形態に係るテーブル装置１の要部拡大図であって、図１におけるII矢視図である。
【図５】本発明のテーブル装置１のオプション装備である電気スタンド３０を第一間隙１０の一つに取り付けた概略構成斜視図であって、テーブル装置１の正面側から見た図である。
【図６】本発明の実施形態に係る電気スタンド３０の要部拡大図である。
【図７】本発明の実施形態に係る電気スタンド３０の一部品のＬ字型部材３４の概略構成斜視図である。
【図８】本発明の実施形態に係るテーブル装置１の背面側から見た概略構成斜視図であって、オプション装備のブックスタンド４０を取り付けた図である。
【図９】本発明の実施形態に係るテーブル装置１の背面側から見た概略構成斜視図であって、オプション装備の仕切りパネル５０を取り付けた図である。
【図１０】本発明の実施形態に係るテーブル装置１の正面側から見た概略構成斜視図であって、オプション装備の上棚６０を取り付けた図である。
【図１１】本発明の実施形態に係るテーブル装置１の要部拡大断面図であって、オプション部材（ブックスタンド４０、仕切りパネル５０、上棚６０）を取り付ける際の固定方法を示した一例である。
【発明を実施するための形態】
【００１９】
以下、図面を参照し、本発明の実施の形態について説明する。
図１は、本発明の実施形態に係るテーブル装置１の概略構成斜視図であって、背面側から見た図である。
【００２０】
図１に示すように、テーブル装置１は、天板２と、この天板２の下部から下方へ延びて天板２を支持する複数の脚体３と、天板２の下部において天板２の外周縁２ａに沿って設けられ、複数の脚体３の上部を連結する連結横杆４とを備えている。
【００２１】
天板２は、矩形板状のものであり、一組の短辺部２ｂと、一組の長辺部２ｃと、丸みを帯びて短辺部２ｂと長辺部２ｃとを滑らかに連続させる四つの角部２ｄとで外周縁２ａが形成されている。
【００２２】
脚体３は、長手方向に交差する断面形状が四半円弧状のものであり、四つの角部２ｄに一つずつ設けられている。これら四つの脚体３は、それぞれ湾曲面３ａを外方に向けた状態で、天板２の各角部２ｄにおける下面２ｅから床面へ向けて延びている。
【００２３】
連結横杆４は、互いに隣接する二つの脚体３の間に一つずつ設けられている。すなわち、この連結横杆４は、二つの短辺部２ｂと、二つの長辺部２ｃとに沿って、合計で四つ設けられている。
これら連結横杆４は、長手方向おける両端部４Ａ，４Ｂにおいてそれぞれの脚体３と所謂ダボ接合されており、不図示の隅金具等で補強されている。
【００２４】
図２は、テーブル装置１の要部拡大断面斜視図であり、図３は、図１におけるＩ−Ｉ線断面図であり、図４は、図１におけるII矢視図である。
図２及び図３に示すように、各連結横杆４は、長手方向に交差する断面形状がＬ字状に形成されたものであって、その連結横杆４が沿った天板２の外周縁２ａ（短辺部２ｂと長辺部２ｃ）に交差する各交差方向に向けて脚体３の半径と略同じ長さＬだけ延在する基部４ａと、この基部４ａのうち天板２の下面２ｅの中央側の一端から下方へ延びる垂下部４ｂとを備えている。
この連結横杆４は、図２に示すように、基部４ａの端面（上面）４ｃを天板２の下面２ｅと密着させた状態で、固定されている。
【００２５】
このような構成のテーブル装置１は、図３に示すように、天板２と連結横杆４との間に形成された第一間隙１０と、第二間隙２０とを有している。
【００２６】
第一間隙１０は、図２及び図３に示すように、天板２の下面２ｅにおいて外周縁２ａ（短辺部２ｂと長辺部２ｃ）に交差する各交差方向に向けて基部４ａの長さＬよりも長く形成された第一凹部２ｆが、連結横杆４の端面４ｃとの間にオプション装備の固定片３５が挿入可能な上下方向の間隙を形成してなっている。
このような第一間隙１０は、図１に示すように、合計で四つ形成されており、テーブル装置１の背面側の長辺部２ｃに二つ、各短辺部２ｂの背面側に一つずつ形成されている。
【００２７】
第二間隙２０は、図２及び図３に示すように、天板２の下面２ｅにおいて各短辺部２ｂと各長辺部２ｃとから第一凹部２ｆよりも各交差方向に向けて浅く、かつ、その連結横杆４が連結する二つの脚体３の間の全部に亘って連続して形成された第二凹部２ｇが、その連結横杆４に対して上下方向の間隙を形成してなっている。
第二凹部２ｇは、第一凹部２ｆと略同じ深さ（天板２の厚さ方向の長さ）となっている。
【００２８】
図５は、テーブル装置１のオプション装備である電気スタンド３０を第一間隙１０の一つに取り付けた概略構成斜視図であって、テーブル装置１の正面側から見た図であり、図６は、図５における要部IIIの概略構成斜視図であり、図７は、電気スタンド３０の一部品の概略構成を示す斜視図である。
【００２９】
図５に示すように、電気スタンド３０は、公知のもの（例えば、特開２００８−１２１８０４号公報、特開２００６−１３８４１４号公報）に記載されるものと同様のものであり、クランプ機構３１を備えている。このクランプ機構３１は、載置部３２に設けられた回動部３３を回転させると、図７に示すＬ字型部材３４の固定片３５が載置部３２に対して近接又は離間するようになっている。
Ｌ字型部材３４の固定片３５は、図３に示すように、交差方向の長さが基部４ａの長さＬよりも長く、第一凹部２ｆの長さよりも短くなっている。
【００３０】
次に、上記構成からなるテーブル装置１に、電気スタンド３０を取り付ける方法について説明する。
まず、テーブル装置１の第一凹部２ｆに、固定片３５と載置部３２とで天板２を挟むようにして、固定片３５を挿入する（図３参照）。この際、第一間隙１０の位置を把握していなくても、固定片３５を交差方向に押圧して第二間隙２０に沿わせることにより、第一間隙１０の位置に到達すると固定片３５がガイドされて第一間隙１０に挿入される。
【００３１】
固定片３５を第一間隙１０に挿入した状態において、図６に示すように、回動部３３を回転させると、固定片３５が載置部３２に近接して天板２を挟み込む。
このようにして、図５に示すように、オプション装備が天板２に固定される。
【００３２】
以上説明したように、テーブル装置１によれば、天板２の下部において短辺部２ｂと長辺部２ｃとに沿って連結横杆４を設け、天板２の下面２ｅには、外周縁２ａから交差方向に向けて第一凹部２ｆが形成され、この第一凹部２ｆが連結横杆４の端面４ｃとの間に電気スタンド３０の固定片３５が挿入可能な第一間隙１０を形成しているので、天板２の下部において外周縁２ａに沿って連結横杆４を設けたとしても、第一間隙１０に固定片３５を挿入することが可能となる。
すなわち、新たな部品を付加せずに天板２に第一凹部２ｆを形成することにより、電気スタンド３０の固定片３５が挿入可能な第一間隙１０が形成されるので、極めて単純な構造で電気スタンド３０を取り付け可能にすることができる。
また、天板２の下部において短辺部２ｂと長辺部２ｃとに沿って連結横杆４を設け、天板２下方のスペースを最大限大きく構成したとしても、第一間隙１０に電気スタンド３０の固定片３５を挿入することができるので、電気スタンド３０を取り付けて使用者の使い勝手を向上させることができる。これにより、使用感を向上させることができる。
従って、単純な構造で電気スタンド３０を取り付け可能にすることができ、優れた使用感を得ることができる。
【００３３】
また、第一凹部２ｆよりも交差方向に向けて浅く、かつ、連結横杆４が連結する二つの脚体３の間の全部に亘って連続して形成された第二凹部２ｇを有し、第二凹部２ｇが連結横杆４に対して第二間隙２０を形成しているので、第一間隙１０と第二間隙２０とが重ねられて形成される。これにより、図３に示すように、第一間隙１０が外方から視認し難くなるので、良好な意匠効果を得ることができる。
【００３４】
また、第一凹部２ｆは、連結横杆４が連結する脚体３の間の一部に形成されているので、第一間隙１０が脚体３間の一部に形成され、固定片３５を挿入する部位が限定される。これにより、電気スタンド３０を取り付ける位置のガイド機能を持たせることができるので、使用者の使い勝手が向上し、より優れた使用感を得ることができる。
【００３５】
また、連結横杆４が、交差方向に延びる基部４ａと、基部４ａの中央側における位置から下方へ延びる垂下部４ｂとを備えるので、垂下部４ｂに対して基部４ａの厚さ寸法が小さくなる。これにより、垂下部４ｂにおいて必要な強度を確保することができる一方で、天板２の短辺部２ｂと長辺部２ｃとにおいて天板２と基部４ａとを把持し易くなって、テーブル装置１の移動等の作業性を良好なものとすることができる。
【００３６】
なお、上述した実施の形態において示した動作手順、あるいは各構成部材の諸形状や組み合わせ等は一例であって、本発明の主旨から逸脱しない範囲において設計要求等に基づき種々変更可能である。
【００３７】
例えば、上述した実施の形態においては、オプション装備として電気スタンドを取り付ける構成としたが、他のオプション部材を取り付ける構成としてもよい。
【００３８】
図８から図１０は、電気スタンド３０の代わりに、他のオプション部材を取り付けた場合のテーブル装置１を示す概略構成斜視図であって、図８は、ブックスタンド４０を取り付けた状態を示しており、図９は、仕切りパネル５０を取り付けた状態を示しており、図１０は、上棚６０を取り付けた状態を示している。なお、図８及び図９は、背面側から見ており、図１０は、正面側から見ている。
【００３９】
図１１は、上記オプション部材（ブックスタンド４０、仕切りパネル５０、上棚６０）を取り付ける際の固定方法を示した一例である。
図１１に示すように、上述したクランプ機構３１に代えて、Ｌ字型部材３４を直接天板２とオプション装備とにボルト３６で締結している。この構成によれば、強固に固定することができる。
【００４０】
図１１に示すように、第一凹部２ｆが、連結横杆４よりも下面２ｅの中央側に延びているので、連結横杆４よりも下面２ｅの中央側において、下方から固定片３５に接触することが可能になる。これにより、固定片３５の固定方法を広く採用することが可能になる。
【００４１】
また、連結横杆４よりも中央側において固定片３５を下面２ｅにボルト３６で締結しているが、天板２の外周縁２ａを把持した際に、垂下部４ｂがボルト３６への干渉を防止するので、固定片３５の位置ズレを抑止することができる。
さらに、外方から固定片３５やボルト３６が視認し難くなるので、良好な意匠効果を得ることができる。
【００４２】
上述した実施の形態において、第一凹部２ｆを連結横杆４が連結する脚体３の間（短辺部２ｂ、長辺部２ｃ）の一部に形成する構成としたが、連結横杆４が連結する脚体３の間の全部に亘って連続して形成してもよい。この構成によれば、連結横杆４が連結する脚体３の間の全部に亘って第一間隙１０が形成され、固定片３５を自在に挿入することができる。これにより、オプション装備の取り付け可能な範囲が比較的に広くなるので、オプション装備の取り付け自由度が向上する。従って、使用者の使い勝手が向上し、より優れた使用感を得ることができる。
【００４３】
また、上述した実施の形態では、第二凹部２ｇを浅い構成にしたが、オプション装備の取り付けを禁止するものではなく、オプション装備を取り付ける構成にしてもよい。
【００４４】
また、上述した実施の形態では、いずれも一つのオプション装備を取り付ける構成について説明したが、二つ以上のオプション装備を取り付ける構成にしてもよい。
【００４５】
また、上述した実施の形態では、上側に回動部３３を設ける構成としたが、下側に回動部を設けたクランプ機構を採用してもよい。また、弾性部材により、上下方向に付勢されたクランプ機構を採用してもよい。
【００４６】
また、上述した実施の形態では、各辺（短辺部２ｂ、長辺部２ｃ）に連結横杆４を設ける構成としたが、一部に設けてもよい。さらに、連結横杆４を複数設けた場合においては、全ての連結横杆４が第一間隙１０を有する構成にしてもよいし、一部の連結横杆４が第一間隙１０を有する構成にしてもよい。
【００４７】
また、上述した実施の形態では、第二間隙２０を設ける構成としたが、省略する構成としてもよい。
【符号の説明】
【００４８】
１…テーブル装置
２…天板
２ａ…外周縁
２ｅ…下面
２ｆ…第一凹部
３…脚体
４…連結横杆
４ａ…基部
４ｂ…垂下部
１０…第一間隙
２０…第二間隙
３０…電気スタンド(オプション部材)
３５…固定片
４０…ブックスタンド(オプション部材)
５０…仕切りパネル(オプション部材)
６０…上棚(オプション部材)
【図１】
2011024629.tif 000003
【図２】
2011024629.tif 000004
【図３】
2011024629.tif 000005
【図４】
2011024629.tif 000006
【図５】
2011024629.tif 000007
【図６】
2011024629.tif 000008
【図７】
2011024629.tif 000009
【図８】
2011024629.tif 000010
【図９】
2011024629.tif 000011
【図１０】
2011024629.tif 000012
【図１１】
2011024629.tif 000013